(57)【要約】      （修正有）【課題】ＣＤを良好に保護するコンパクトディスク収納ユニットを提供する。【解決手段】コンパクトディスク収納ユニットは、折畳式の収納部１を具え、複数の底上げ保護板１１は、ユニット片が設置され、各ユニット片の中間にはＣＤを納置するフレーム孔が設置され、隣り合うユニット片の間には折線を設置されている。中仕切板は、ユニット片と同じ大きさで、隣り合う底上げ保護板１１の中間に挟んで設置されている。中心掛合点は、菊の花弁状で中仕切板上に設置され、フレーム孔の中央に位置する。底板１４は、最後の底上げ保護片板１１の末端ユニット片の外側に貼り合されている。前蓋板１５は、最前の底上げ保護板１１の前端のユニット片の外側に貼り合せされている。可動閉合機構１０は、底板１４と前蓋板１５との間に設置され、底板１４と前蓋板１５とを相対して開閉する。【選択図】図１
0003144267.tif 000002
【実用新案登録請求の範囲】
【請求項１】
複数の底上げ保護板、中仕切板、中心掛合点、底板、前蓋板及び可動閉合機構から構成される折畳式の収納部を具えるコンパクトディスク収納ユニットであって、
前記収納部は、
各々に複数の連続したユニット片が設置され、各前記ユニット片の中間にはＣＤを載置するフレーム孔が設置され、両者が隣り合う前記ユニット片の間には折線が形成されている複数の前記底上げ保護板と、
前記フレーム孔のある前記ユニット片と同じ大きさであり、両者が隣り合う前記底上げ保護板の交錯重畳する位置の中間に挟んで設置され、両辺をそれぞれ前記フレーム孔のある前記ユニット片に添わせる前記中仕切板と、
菊の花弁状で、前記中仕切板上に設置され、前記フレーム孔の中央に位置する前記中心掛合点と、
最後の前記底上げ保護板の末端の前記ユニット片の外側に貼り合わされている前記底板と、
最前の前記底上げ保護板の前端の前記ユニット片の外側に貼り合わされている前記前蓋板と、
前記底板と前記前蓋板との間に設置され、前記底板と前記前蓋板を相対して開閉する前記可動閉合機構と、
を含み、
構造が組み立てられると、外部が整い、美観と質感が高まり、プリントや図案の貼り付けが可能であり、更に内部に多数の重畳空間が生まれて、ＣＤを保護して本のように収納することを特徴とするコンパクトディスク収納ユニット。
【請求項２】
前記底板は、直接、筐体内に設置され、前記底板及び前記前蓋板の一辺の長さは前記ユニット片より大きく、
前記可動閉合機構は、前記筐体の重畳設置空間の長辺に残した隙間と、前記前蓋板の長辺局部位上に横向きに設置されて相対する発泡柱体と、から構成され、
前記前蓋板の長辺及び前記発泡柱体の中間位上には丸欠切口が設置されていることを特徴とする請求項１記載のコンパクトディスク収納ユニット。
【請求項３】
前記筐体は、多層折畳載置空間を具え、複数の前記収納部が収納され、前記筐体は主に複数の中仕切基板、前面板、単面板及び後面板から構成され、
前記中仕切基板は長方枠体で、偶数個が並列して配置され、
前記前面板は両者が相互に連接して対称に折り合わされる空心枠体で、両者が隣り合う前記中仕切基板の上面に対応し、
前記単面板は、前記中仕切基板と同じ大きさの実心板体で、最前と最後の単一の前記中仕切基板の下面に対応して設置され、
前記後面板は、両者が相互に連接して対称に折り合わされる実心板体を具え、次の位置で始まる両者が隣り合う前記中仕切基板の下面に対応設置され、
前記前面板と前記後面板とが上下交錯して配置され、前記筐体が多層に折り畳まれ、各前記中仕切基板の枠体内の上下に前記収納部が載置されていることを特徴とする請求項２記載のコンパクトディスク収納ユニット。
【請求項４】
前記中心掛合点及び前記底上げ保護板は、ＥＶＡ発泡材で製造され、
各前記底上げ保護板は、両者が連接する前記ユニット片から構成され、
前記中仕切板、前記底板及び前記前蓋板は実心の硬い紙板で製造されていることを特徴とする請求項２または３記載のコンパクトディスク収納ユニット。
【請求項５】
前記中仕切基板は、ＥＶＡ発泡材で製造され、
前記前面板、前記単面板及び前記後面板は実心の硬い紙板で製造されていることを特徴とする請求項４記載のコンパクトディスク収納ユニット。
【考案の詳細な説明】
【技術分野】
【０００１】
本考案は、コンパクトディスク（ＣＤ）収納ユニットに関するもので、特に、組立が簡便で、軽量、環境保護に符合し、また、ＣＤを良好に保護する。折畳式の収納ユニットを具え、構造を組み立てると、外部が整い、美観が良く、包装の質感を高め、また、プリント、装飾図案を貼り付けるのにも便利で、且つ内部の仕切りによって多数枚交互に置く空間を具え、ＣＤを保護収納する。
【背景技術】
【０００２】
初期のＣＤコンパクトディスク（Ｃｏｍｐａｃｔ  Ｄｉｓｋ）は、１９８０年ＰｈｉｌｉｐｓとＳｏｎｙから発表された。元は家電消費市場のために設計されたもので、当初はパソコンに使用される用途を想定していなかった。しかし、ＣＤが安全に携帯するのに適しており、マルチメディア性、大容量、低コスト等の多くの長所を有することから、パソコンデータの保存に応用されるようになって、市場の需要は大幅に広がり、多くのメーカーが次々に製造業界に参入し、相対して各種ＣＤ収納棚とパッケージも発展している。
【考案の開示】
【考案が解決しようとする課題】
【０００３】
解決しようとする問題点は、公知のコンパクトディスク収納ユニットは、ほとんどがその材料に硬質のプラスチックを採用しており、その構造内部の部品は多く、プラスチックの外観は長年変わらず、消費に於ける質感は明らかに減少している。更に、組立上、各ケース内に表示ページもしくは歌詞を挟む作業は大変面倒であり、特に、収納するＣＤが複数枚で売り出される場合、ケース内にひとつひとつ内ページを設置しなければならない他、セット完了後、外観にプリント包装をしなければならない。更に、外部には別に表示ページを設置して、パッケージの内容を説明しなければならず、包装にかかるコストが高くなり、且つ全体の質感も高めることができない点である。
【課題を解決するための手段】
【０００４】
前述の目的を達成するため、本考案は、コンパクトディスク収納ユニットを提供する。本考案のコンパクトディスク収納ユニットは、折畳式の収納部を具え、撓み性の折畳板体が互いに交錯して重畳し、各々に複数の連続したユニット片を設置し、各ユニット片の中間にはＣＤを載置するフレーム孔を設置し、且つ両者が隣り合うユニット片の間には折線を設置する複数の底上げ保護板と、その大きさがフレーム孔のあるユニット片と同じで、両者が隣り合う底上げ保護板の交錯重畳する位置の中間に挟んで設置し、両辺をそれぞれフレーム孔のあるユニット片に添わせる中仕切板と、菊の花弁状で中仕切板上に設置し、フレーム孔の中央に位置する中心掛合点と、最後の底上げ保護板のその末端のユニット片の外側に貼り合わせる底板と、最前の底上げ保護板のその前端のユニット片の外側に貼り合わせる前蓋板と、底板と前蓋板との間に設置し、底板と前蓋板を相対して開閉する可動閉合機構とを含むことを最も主要な特徴とする。
【考案の効果】
【０００５】
本考案のコンパクトディスク収納ユニットは、組立が簡単で、軽量、環境保護に符合し、良好にＣＤを保護し、収納できる。本考案のコンパクトディスク収納ユニットは、折畳式の収納部を具え、構造を組み立てると、外部が整い、美観と質感が高まり、また、プリントや図案の貼り付けができ、更に、内部に多数の重畳空間が生まれて、ＣＤを保護して本のように収納する。
【考案を実施するための最良の形態】
【０００６】
以下、本考案の実施の形態を図面に基づいて説明する。
（一実施形態）
図１から図７に示すとおり、本考案の一実施形態による折畳式のコンパクトディスク収納ユニットは、折畳式の収納部１を具え、主に、複数の底上げ保護板１１、中仕切板１２、中心掛合点１３、底板１４、前蓋板１５及び可動閉合機構１０を含む。
底上げ保護板１１は、撓み性の折畳板体で、互いに交錯して重畳する。各底上げ保護板１１上には複数の連続するユニット片１１１が設置され、各ユニット片１１１の中間にはＣＤを載置するフレーム孔１１２が成形され、且つ隣り合う両側のユニット片１１１には折線１１３が形成される。
【０００７】
中仕切板１２は、大きさがフレーム孔のあるユニット片１１１と同じ大きさであり、両者が隣り合う底上げ保護板１１の交錯重畳する位置の中間に挟んで設置し、中仕切板１２の両辺をそれぞれフレーム孔のあるユニット片１１１に貼り合わせる。
中心掛合点１３は、菊の花弁状で、中仕切板１２上に貼り合わせ、フレーム孔１１２の中央にＣＤの中心孔を設置して掛合する。
底板１４は、最後の底上げ保護板１１の末端のユニット片１１１の外側に貼り合わせて設置する。
【０００８】
前蓋板１５は、最前の底上げ保護板１１の前端のユニット片１１１の外側に貼り合わせて設置する。
そして、可動閉合機構１０は、底板１４と前蓋板１５との間に設置して、底板１４と前蓋板１５を相対して閉じたり、開いたりする。
これらによって、構造を組み立てると、外部が整い、美観がよくなり、包装の質感も高まる。また、プリントの設置や装飾図案を貼り合わせやすく、且つ内部には多数枚のＣＤが交錯重畳する空間が生まれ、ＣＤを保護して収納する。
【０００９】
図１及び図２に示すとおり、折畳式の収納部１は、各部材を異なる材質で製造することができるが、最も良好な設計として、中心掛合点１３及び底上げ保護板１１は環境に配慮した軽量で成型しやすいＥＶＡ発泡材で製造し、且つ各底上げ保護板１１は両者が相互に連なるユニット片１１１から構成される。また、中仕切板１２、底板１４及び前蓋板１５は実心の硬い紙で製造するのがよい。これによって、製造組立が簡単で、軽量、環境保護に符合するだけでなく、ＣＤを設置した後、しっかりと保護することができる。
【００１０】
図３に示すとおり、底板１４は直接筐体２内に設置し、且つ底板１４及び前蓋板１５の一辺の長さをユニット片１１１より大きくする。そして、可動閉合機構１０は筐体２の空間の長辺に残した隙間２００と、更に前蓋板１５の長辺局部に相対するように横設置した発泡柱体１００から構成され、且つ前蓋板１５の長辺及び発泡柱体１００の中間位置には丸欠切口１５５を設置することにより、指を入れて開けやすくする。
【００１１】
他に図４から図７に示すとおり、筐体２は多層折畳載置空間を具えて設計されるため、複数の収納部１群を提供する。筐体２は、主に複数の中仕切基板２１、前面板２２、単面板２３及び後面板２４から構成される。そのうち中仕切基板２１は、ＥＶＡ発泡材で製造し、前面板２２、単面板２３及び後面板２４は実心の硬い紙で製造する。中仕切基板２１は、長方枠体で偶数個を並列して配置する。前面板２２は、両者が相互に連接して対称に折り合わされる空心枠体で、両隣の中仕切基板２１の上面に対応して設置する。単面板２３は、中仕切基板２１と同じ大きさの実心板体で、最前と最後の単一中仕切基板２１の下面に対応設置する。更に、後面板２４は、両者が相互に連接して対称に折り合わされる実心板体で、次の位置で始まる両者が隣り合う中仕切基板２１の下面に対応する。
【００１２】
前面板２２と後面板２４の上下が交錯するように配置されていることにより、筐体２が多層重畳され、内部には多数枚の収納部１が配置される。各中仕切基板２１の枠体内には二枚の後端が相対する収納部１を上下納置し、各収納部１には多数枚のＣＤを納置するため、内容量は非常に大きく、ＣＤの包装収蔵出版だけでなく、個人の収納利用にも便利である。
【００１３】
更に、筐体２及び収納部１は、どちらも多くの予め設置した単品を集合して構成されているものであるため、内ページの数量は顧客の求めに応じて随時変動できる。更に、筐体２を折り畳むと、一冊の本のようになり、外表には美観を高めるために両面どちらにも硬紙板でプリントもしくは彩色ページを貼る。また、開いた時、内ページの各収納ユニットにも硬紙板上にプリントもしくは目次を貼ることができる。そのため、包装全体の質感も相対して高まる。更に、底上げ保護板１１及び中仕切基板２１にはどちらもＥＶＡ発泡緩衝材を使用するため、ＣＤを入れた後、安全に保護することができる。
上述のとおり、本考案は、構造が簡単で実用的であり、機能的には公知に比べてはるかに進んでおり、産業利用価値が高いため、実用新案登録を申請する。
【００１４】
上述の具体的実施形態は、本考案の目的、特徴及びその効果を説明するためのものであるため、この領域に習熟した者が上述の説明に基づき、具体実施形態に基づき変更及び修正することもあると思われるが、それは本考案の精神的範囲に基づくものであり、これらはすべて本考案の請求範囲に含まれる。
（考案の効果）
本考案のコンパクトディスク収納ユニットは、構造を組み立てると、外部が整い、美観と質感が高まり、また、プリントや図案の貼り付けができ、更に、内部に多数の重畳空間が生まれて、ＣＤを保護して本のように収納するという利点がある。
【図面の簡単な説明】
【００１５】
【図１】本考案の一実施形態によるコンパクトディスク収納ユニットの収納部を示す斜視図である。
【図２】本考案の一実施形態によるコンパクトディスク収納ユニットの収納部を示す分解斜視図である。
【図３】本考案の一実施形態によるコンパクトディスク収納ユニットの収納部の筐体に設置された状態を示す分解斜視図である。
【図４】本考案の一実施形態によるコンパクトディスク収納ユニットの筐体を示す分解斜視図である。
【図５】本考案の一実施形態によるコンパクトディスク収納ユニットの収納部の筐体に設置された状態を示す模式図である。
【図６】本考案の一実施形態によるコンパクトディスク収納ユニットの収納部の筐体に設置された状態を示す模式図である。
【図７】本考案の一実施形態によるコンパクトディスク収納ユニットの筐体の折り畳む動作を示す模式図である。
【符号の説明】
【００１６】
１：収納部、２：筐体、１０：可動閉合機構、１１：底上げ保護板、１２：中仕切板、１３：中心掛合点、１４：底板、１５：前蓋板、２１：中仕切基板、２２：前面板、２３：単面板、２４：後面板、１００：発泡柱体、１１１：ユニット片、１１２：フレーム孔、１１３：折線、１５５：丸欠切口、２００：隙間
【図１】
0003144267.tif 000003
【図２】
0003144267.tif 000004
【図３】
0003144267.tif 000005
【図４】
0003144267.tif 000006
【図５】
0003144267.tif 000007
【図６】
0003144267.tif 000008
【図７】
0003144267.tif 000009